(57)【要約】  【課題】  無線により放射線画像の送信を行う放射線検出カセッテを用いて撮影するときのセキュリティーを高くする。  【解決手段】  システム本体１１と、システム本体１１に着脱可能に取り付けられた、被写体Ｓを透過した放射線を画像情報として記録する放射線検出器２１を収容した放射線検出カセッテ２０と、放射線検出カセッテ２０に取り付けられた、放射線検出器２１に記録された画像情報を送信するカセッテ側アンテナ２２と、システム本体１１に設けられた、カセッテ側アンテナ２２から送信される画像情報を受信するシステム本体側アンテナ１３と、システム本体１１に放射線検出カセッテ２０が取り付けられたときにシステム本体側アンテナ１３とカセッテ側アンテナ２２とを密閉収容する、電波を遮蔽する材料からなる電波遮蔽部３０とを有する。【選択図】          図１
2006094915.tif 000002
【特許請求の範囲】
【請求項１】
システム本体と、
該システム本体に着脱可能に取り付けられる、被写体を透過した放射線を画像情報として記録する放射線検出器を収容した放射線検出カセッテと、
該放射線検出カセッテに取り付けられた、前記放射線検出器に記録された前記画像情報を送信するカセッテ側アンテナと、
前記システム本体に設けられた、前記カセッテ側アンテナから送信される前記画像情報を受信するシステム本体側アンテナと、
前記システム本体に前記放射線検出カセッテが取り付けられたときに前記システム本体側アンテナと前記カセッテ側アンテナとを密閉収容する、電波を遮蔽する材料からなる電波遮蔽部と
を有することを特徴とする放射線画像撮影システム。
【請求項２】
前記電波遮蔽部が、前記放射線検出カセッテに設けられた、前記カセッテ側アンテナを収容したカセッテ側電波遮蔽部材と、前記システム本体に設けられた、前記システム本体側アンテナを収容したシステム本体側電波遮蔽部材とを備え、前記システム本体に前記放射線検出カセッテが取り付けられたときに、カセッテ側電波遮蔽部材と前記システム本体側電波遮蔽部材とが、前記カセッテ側アンテナと前記システム本体側アンテナとを密閉収容することを特徴とする請求項１に記載の放射線画像撮影システム。
【発明の詳細な説明】
【技術分野】
【０００１】
本発明は、たとえばＦＰＤ（Ｆｌａｔ  Ｐａｎｅｌ  Ｄｅｔｅｃｔｏｒ）等の放射線検出器が収容された放射線検出カセッテを用いて放射線画像を取得する放射線画像撮影システムに関するものである。
【背景技術】
【０００２】
従来より、医療診断等を目的とする放射線撮影において、被写体を透過した放射線を検出し放射線画像を表す画像信号を出力する放射線固体検出器（半導体を主要部とするもの；以下単に検出器ともいう）が各種提案、実用化されており、これらの放射線固体検出器と該検出器から出力された画像信号を記憶する記憶手段としての画像メモリとをケースに収容した放射線検出カセッテも種々提案されている（たとえば特許文献１参照。）。
【０００３】
特許文献１のＸ線撮像装置は、Ｘ線検出器と、無線によりこのＸ線検出器との間で通信を行う通信制御手段と、Ｘ線検出器と通信制御手段との間で通信を行う際に、各Ｘ線検出器にＩＤキーを割り当てるＩＤ付与手段とを有している。そして、Ｘ線検出器が撮影用寝台に装着されたときに、通信制御手段がＸ線検出器の装着を機械的に検出し、ＩＤ付与手段がＩＤキーを付与するようになっている。
【０００４】
また、上述のように画像情報の無線伝送を行ったときに、被写体に情報伝送のための無線電波が照射されるのを防止するため、カセッテに内蔵された指向性アンテナを調整可能な放射線画像撮影装置が提案されている（たとえば特許文献２参照。）。特許文献２において、カセッテ側の送受信アンテナは、放射線入射面に対して裏向きに指向性を有しており、カセッテを支持する架台にカセッテ側の送受信アンテナ対向するように架台側の送受信アンテナが配置されている。これにより、カセッテ側の送受信アンテナと架台側の送受信アンテナが通信を行う際、電波が被写体に照射されるのを最小限に抑えている。
【特許文献１】特開２００２−１９１５８６号公報
【特許文献２】特開２００３−２１０４４４号公報
【発明の開示】
【発明が解決しようとする課題】
【０００５】
しかし、上記特許文献１、２のように、カセッテに記憶された画像情報を無線により送受信したときには、たとえアンテナに指向性を持たせたとしても、撮影室から電波が外部に漏れ、他人が漏れた電波を傍受し得る可能性がある。通常、暗号化や認証の働きにより、漏れた電波から直ちに被写体の画像情報が取得される場合は少ないが、それら暗号化や認証が無効化される可能性はゼロとは言えない。
【０００６】
そこで、本発明は、無線により放射線画像の送信を行う放射線検出カセッテを用いて撮影するときにセキュリティーの高い放射線画像撮影システムを提供することを目的とするものである。
【課題を解決するための手段】
【０００７】
本発明の放射線画像撮影システムは、システム本体と、システム本体に着脱可能に取り付けられる、被写体を透過した放射線を画像情報として記録する放射線検出器を収容した放射線検出カセッテと、放射線検出カセッテに取り付けられた、放射線検出器に記録された画像情報を送信するカセッテ側アンテナと、システム本体に設けられた、カセッテ側アンテナから送信される画像情報を受信するシステム本体側アンテナと、システム本体に放射線検出カセッテが取り付けられたときにシステム本体側アンテナとカセッテ側アンテナとを密閉収容する、電波を遮蔽する材料からなる電波遮蔽部とを有することを特徴とするものである。
【０００８】
ここで、システム本体は、立位型の放射線画像撮影システムであれば放射線検出カセッテを保持する架台を意味し、仰臥型の放射線撮影システムであればベッドを意味する。
【０００９】
なお、カセッテ側アンテナは、画像情報を送信する機能のみならず、撮影室側アンテナから送信される放射線検出カセッテの動作を制御する制御信号を受信する機能を有していてもよい。
【００１０】
なお、電波遮蔽部は、システム本体に放射線検出カセッテが取り付けられたときにシステム本体側アンテナとカセッテ側アンテナとを密閉収容するものであれば、どのような構造からなるものであってもよく、たとえば放射線検出カセッテに設けられた、カセッテ側アンテナを収容したカセッテ側電波遮蔽部材と、システム本体に設けられた、システム本体側アンテナを収容したシステム本体側電波遮蔽部材とを備え、システム本体に放射線検出カセッテが取り付けられたときに、カセッテ側電波遮蔽部材とシステム本体側電波遮蔽部材とが、カセッテ側アンテナとシステム本体側アンテナとを密閉収容するものであってもよい。
【発明の効果】
【００１１】
本発明の放射線画像撮影システムによれば、システム本体に放射線検出カセッテが取り付けられたときにシステム本体側アンテナとカセッテ側アンテナとを密閉収容する、電波を遮蔽する材料からなる電波遮蔽部を備えていることにより、カセッテ側アンテナとシステム本体側アンテナとの間で画像情報の送受信が行われたとき、電波遮蔽部により画像情報を有する電波が漏洩するのを防止することができるため、放射線検出カセッテの可搬性により利便性を確保しつつ、画像情報を送受信する際のセキュリティーの向上を図ることができる。
【００１２】
なお、電波遮蔽部が、放射線検出カセッテに設けられた、カセッテ側アンテナを収容したカセッテ側電波遮蔽部材と、システム本体に設けられた、システム本体側アンテナを収容したシステム本体側電波遮蔽部材とを備え、システム本体に放射線検出カセッテが取り付けられたときに、カセッテ側電波遮蔽部材とシステム本体側電波遮蔽部材とが、カセッテ側アンテナとシステム本体側アンテナとを密閉収容するようにすれば、簡易な構造で画像情報を送受信する際のセキュリティーの向上を図ることができる。
【発明を実施するための最良の形態】
【００１３】
以下、図面を参照して本発明の放射線画像撮影システムの実施の形態を詳細に説明する。図１は本発明の放射線画像撮影システムの一例を示す構成図である。この放射線画像撮影システム１は、撮影室２に被写体Ｓを透過した放射線を撮影し画像情報を取得する放射線画像撮影装置１０が設置されたものである。図１においては、撮影室２に立位型の放射線画像撮影装置１０が設置されており、この放射線画像撮影装置１０に対し被写体Ｓがたとえば胸部等の被写体Ｓの撮影したい部位を位置決めするようになっている。さらに、放射線画像撮影システム１は、撮影室２外に設置された放射線画像撮影装置１０の動作を制御するための制御装置４０を有しており、放射線技師がこの制御装置４０を操作することにより、被写体Ｓの撮影操作を行うようになっている。
【００１４】
図２は図１の放射線画像撮影装置１０の一例を示す模式図であり、図1と図２を参照して放射線画像撮影装置１０について説明する。放射線画像撮影装置１０は、システム本体１１と、システム本体１１に着脱可能に取り付けられた、被写体Ｓを透過した放射線を画像情報として記録する放射線検出器２１を内蔵した放射線検出カセッテ２０と、放射線検出カセッテ２０に設けられた、放射線検出器２１に記録された画像情報を送信するカセッテ側アンテナ２２とを有している。
【００１５】
ここで、放射線画像撮影装置１０は、図１の立位型の場合にはたとえば架台からなるシステム本体１１に取り付けられた放射線検出カセッテ２０に向かって放射線を射出するＸ線源１０Ａを有し、被写体ＳはＸ線源１０Ａとシステム本体１１との間に位置することにより撮影が行われるようになっている。
【００１６】
システム本体１１は、図２に示すように、たとえば放射線検出カセッテ２０を収容可能な大きさの収容ボックス１２を有し、この収容ボックス１２に放射線検出カセッテ２０が着脱可能に収容されるようになっている。なお、システム本体１１は、図２に示すような収容ボックス１２により放射線検出カセッテ２０を着脱可能に保持する場合に限らず、たとえば放射線検出カセッテ２０の上下側および側面側を保持する保持板や係止片等を有するような構造であってもよい。
【００１７】
放射線検出カセッテ２０は、被写体Ｓを透過した放射線を画像情報として記録する放射線検出器２１と、放射線検出器２１を収容したケース２０Ａとを有している。この放射線検出器２１は、たとえばガラス基板上に蛍光板と光電変換素子とが積層された構造を有し、放射線が照射されたとき、放射線の曝射量に比例した電荷を画像情報として蓄積する機能を有している。
【００１８】
さらに、放射線検出カセッテ２０は、放射線検出器２１に記録された画像情報の画像処理を行うと共に、制御装置４０からの撮影指示に基づいて放射線検出器２１の動作を制御するカセッテ制御手段２３を有している。このカセッテ制御手段２３は、放射線検出器２１から電荷として記録された画像情報を読取り、画像処理を行うようになっている。また、カセッテ制御手段２３はカセッテ側アンテナ２２に電気的に接続されており、放射線検出器２１に記録され画像処理が施された画像情報をカセッテ側アンテナ２２から送信するようになっている。
【００１９】
カセッテ側アンテナ２２は、たとえばケース２０Ａのシステム本体１１に対向する面に取り付けられており、放射線検出器２１に記録された画像情報を送信するとともに放射線検出カセッテ２０の動作を制御する制御信号を受信する機能を有している。カセッテ側アンテナ２２において制御信号が受信されたとき、カセッテ制御手段２３は制御信号に基づいて放射線検出カセッテ２０の動作を制御するようになっている。
【００２０】
この制御信号は、撮影室２内に設置されたシステム本体側アンテナ１３から送信されるようになっている。具体的には、システム本体側アンテナ１３は、システム本体１１の放射線検出カセッテ２０対向する面に設置されており、放射線検出カセッテ２０がシステム本体１１に取り付けられたときに、カセッテ側アンテナ２２に対し対向する位置に取り付けられている。このシステム本体側アンテナ１３は制御装置４０とケーブル４１を介して接続されており、カセッテ側アンテナ２２から送信される画像情報を受信するとともに、制御装置４０からの指令をカセッテ側アンテナ２２に送信する機能を有している。
【００２１】
ここで、放射線検出カセッテ２０に記録された画像情報をシステム本体側アンテナ１３とカセッテ側アンテナ２２と間で無線により送受信したとき、画像情報を有する電波が撮影室２の外部に漏れてしまう場合がある。この漏れた電波を撮影室２外において他人が受信すれば、被写体の画像情報を取得することができセキュリティー上の好ましくないという問題がある。
【００２２】
そこで、図２に示すように、放射線画像撮影システム１にはシステム本体１１に放射線検出カセッテ２０が取り付けられたときにシステム本体側アンテナ１３とカセッテ側アンテナ２２とを密閉収容する、電波を遮蔽する材料からなる電波遮蔽部３０が設けられている。具体的には、電波遮蔽部３０は、放射線検出カセッテ２０のシステム本体１１側表面に設けられた、カセッテ側アンテナを収容したカセッテ側電波遮蔽部材３０ａと、システム本体１１における収容ボックス１２の放射線検出カセッテ２０側表面に設けられた、システム本体側アンテナ１３を収容したシステム本体側電波遮蔽部材３０ｂとを備えている。
【００２３】
そして、放射線検出カセッテ２０がシステム本体１１に取り付けられたとき、カセッテ側電波遮蔽部材３０ａとシステム本体側電波遮蔽部材３０ｂとが接続することにより、カセッテ側アンテナ２２とシステム本体側アンテナ１３とが密閉収容されるようになっている。このカセッテ側電波遮蔽部材３０ａとシステム本体側電波遮蔽部材３０ｂとは、たとえばアルミニウム等からなる金属板等からなっている。これにより、システム本体側アンテナ１３とカセッテ側アンテナ２２との間で画像情報の送受信が行われたとき、電波遮蔽部４が画像情報を有する電波が撮影室２の外部へ漏洩するのを防止することができるため、放射線検出カセッテの可搬性により利便性を確保しつつ、画像情報の取扱いにおけるセキュリティーの向上を図ることができる。
【００２４】
また、システム本体側アンテナ１３とカセッテ側アンテナ２２とを近接するような構造にし、アンテナ周囲の狭い範囲を電波遮蔽部３０により遮蔽することにより、システム本体側アンテナ１３とカセッテ側アンテナ２２との通信距離を短くすることができるため、簡易な構造でかつ微弱な電波であっても確実に通信を行うことができる。
【００２５】
図３は本発明の放射線画像撮影システムにおける電波遮蔽部の別の実施の形態を示す模式図である。なお、図３において図２と同一の構成を有する部位には同一の符号を付してその説明を省略する。
【００２６】
図３の電波遮蔽部１３０は、放射線検出カセッテ２０側に設けられた、平板状の電波を遮蔽する材料からなるカセッテ側電波遮蔽部材１３０ａと、システム本体１１側に設けられた、筒状の電波を遮蔽する部材からなるシステム本体側電波遮蔽部材１３０ｂとを有している。そして、放射線検出カセッテ２０がシステム本体１１に取り付けられる際、システム本体側電波遮蔽部材１３０ｂの筒内にカセッテ側アンテナ２２が挿入される。このとき、システム本体側電波遮蔽部材１３０ｂの端部とカセッテ側電波遮蔽部材１３０ａとにより、電波遮蔽部１３０内にカセッテ側アンテナ２２とシステム本体側アンテナ１３とが密閉収容される。
【００２７】
この場合であっても、カセッテ側アンテナ２２とシステム本体側アンテナ１３との間で画像情報の送受信が行われたとき、電波遮蔽部４により画像情報を有する電波が撮影室２の外部へ漏洩するのを防止することができるため、放射線検出カセッテの可搬性により利便性を確保しつつ、画像情報の取扱いにおけるセキュリティーの向上を図ることができる。
【００２８】
上記各実施の形態によれば、撮影室２が撮影室２内の空間を覆うように設けられた、カセッテ側アンテナ２２およびシステム本体側アンテナ１３から発信される電波を遮蔽する電波遮蔽部３０を備えていることにより、カセッテ側アンテナ２２とシステム本体側アンテナ１３との間で画像情報の送受信が行われたとき、電波遮蔽部３０により画像情報を有する電波が撮影室２の外部へ漏洩するのを防止することができるため、放射線検出カセッテの可搬性により利便性を確保しつつ、画像情報の取扱いにおけるセキュリティーの向上を図ることができる。
【００２９】
本発明の実施の形態は上記実施の形態に限定されない。たとえば、図１において１つの撮影室２に立位型の放射線画像撮影装置１０が設置されている場合について例示しているが臥位型の放射線画像撮影装置１０であってもよい。この場合、被写体Ｓが寝ているベッドがシステム本体１１となり、このシステム本体１１に放射線検出カセッテ２０が配置されることになる。
【００３０】
また、図１の電波遮蔽部４は、アルミニウム板からなる場合について例示しているが、アルミニウム以外の他の金属導体板や金網などからなっていてもよいし、セラミック、発泡材料にカーボンを塗布したものなど電波吸収体を用いるようにしてもよい。
【図面の簡単な説明】
【００３１】
【図１】本発明の放射線画像撮影システムの好ましい実施の形態を示す構成図
【図２】本発明の放射線画像撮影システムにおける放射線検出カセッテの一例を示す模式図
【図３】本発明の放射線画像撮影システムにおける電波遮蔽部の別の実施の形態を示す模式図
【符号の説明】
【００３２】
１     放射線画像撮影システム
２     撮影室
１０   放射線画像撮影装置
１１   システム本体
１３   システム本体側アンテナ
２０Ａ ケース
２０   放射線検出カセッテ
２１   放射線検出器
２２   カセッテ側アンテナ
２３   カセッテ制御手段
３０ａ、１３０ａ      カセッテ側電波遮蔽部材
３０ｂ、１３０ｂ      システム本体側電波遮蔽部材
３０   電波遮蔽部
４０   制御装置
４２   ケーブル
１３０ 電波遮蔽部
【図１】
2006094915.tif 000003
【図２】
2006094915.tif 000004
【図３】
2006094915.tif 000005